(57)【特許請求の範囲】
【請求項１】
合成樹脂製の管本体と、受け口部材及び挿し口部材とからなり、該両部材の接合により管路を接続可能とする金属製継手のうち、前記受け口部材が該管本体の一方端部に固定され、前記挿し口部材が他方端部に固定され、前記受け口部材及び挿し口部材が前記管本体に装着された状態のまま運搬・配管・解体・保管され繰り返し利用される仮設配管用継手付樹脂管であって、
前記受け口部材は、前記管本体が挿入される被挿入部と、該被挿入部と連通し前記挿し口部材を受け入れるべく軸方向に延在する内周面を有する受け口部とを備え、
前記挿し口部材は、前記管本体が挿入される被挿入部と、該被挿入部と連通し接続される仮設配管用継手付樹脂管の前記受け口部に挿入された状態で前記内周面と対向する外周面を有する挿し口部とを備え、
前記受け口部材又は挿し口部材の一方が係合爪部を有し、前記受け口部材又は挿し口部材の他方が前記係合爪部に正転で係合し逆転で解除する止め金具を有し、前記係合爪部と前記止め金具との協働によりバイオネット連結部を構成する構造を有し、
前記受け口部材は、前記被挿入部側の端部の外周面に形成された係止爪と、該係止爪に正転で係合し逆転で解除する固定リングと、該固定リングにより前記管本体の外周面に押圧されて前記受け口部材を前記管本体の端部に固定する爪リングと、を有することを特徴とする仮設配管用継手付樹脂管。
【請求項２】
前記受け口部材は、該固定リングの周方向に所定間隔をおいて形成されて前記固定リングを径方向に貫通する複数のねじ孔と、該複数のねじ孔に各々ねじ込まれて先端が前記受け口部材の前記受け口部と反対側の端部の外周面に対向する複数の固定ボルトと、前記固定リングを径方向に貫通する他のねじ孔と、該他のねじ孔にねじ込まれる位置決めボルトと、前記受け口部材の前記係止爪に形成されて前記位置決めボルトが係合されることにより前記受け口部材に対する前記固定リングの回転方向の位置を固定する位置決め凹部と、を有することを特徴とする請求項１に記載の仮設配管用継手付樹脂管。
【請求項３】
前記爪リングは、円周の一部を切断して形成されて前記爪リングの縮径方向の弾性変形を可能とするすり割り部と、内周面に突設された複数の円周状の爪と、外周面に形成されて前記管本体の端部に向けて外径が徐々に大きくなるテーパ面と、を有し、
前記固定リングは、該固定リングの内部に前記爪リングを有し、前記爪リングのテーパ面に接触して、前記受け口部材に対して前記固定リングを引き寄せることにより、前記爪リングを前記管本体の外周面に押圧するテーパ面を有することを特徴とする請求項１に記載の仮設配管用継手付樹脂管。
【請求項４】
合成樹脂製の管本体と、受け口部材及び挿し口部材とからなり、該両部材の接合により管路を接続可能とする金属製継手のうち、前記受け口部材が該管本体の一方端部に固定され、前記挿し口部材が他方端部に固定され、前記受け口部材及び挿し口部材が前記管本体に装着された状態のまま運搬・配管・解体・保管され繰り返し利用される仮設配管用継手付樹脂管であって、
前記受け口部材は、前記管本体が挿入される被挿入部と、該被挿入部と連通し前記挿し口部材を受け入れるべく軸方向に延在する内周面を有する受け口部とを備え、
前記挿し口部材は、前記管本体が挿入される被挿入部と、該被挿入部と連通し接続される仮設配管用継手付樹脂管の前記受け口部に挿入された状態で前記内周面と対向する外周面を有する挿し口部とを備え、
前記受け口部材又は挿し口部材の一方が係合爪部を有し、前記受け口部材又は挿し口部材の他方が前記係合爪部に正転で係合し逆転で解除する止め金具を有し、前記係合爪部と前記止め金具との協働によりバイオネット連結部を構成する構造を有し、
前記挿し口部材は、前記管本体の外周側に位置する筒状の円筒部と、該円筒部の前記挿し口部と反対側の端部の外周面に形成された係止爪と、該係止爪に正転で係合し逆転で解除する固定リングと、該固定リングにより前記管本体の外周面に押圧されて前記挿し口部材を前記管本体の端部に固定する爪リングと、を有することを特徴とする仮設配管用継手付樹脂管。
【請求項５】
前記挿し口部材は、該固定リングの周方向に所定間隔をおいて形成されて前記固定リングを径方向に貫通する複数のねじ孔と、該複数のねじ孔に各々ねじ込まれて先端が前記挿し口部材の前記挿し口部と反対側の端部の外周面に対向する複数の固定ボルトと、前記固定リングを径方向に貫通する他のねじ孔と、該他のねじ孔にねじ込まれる位置決めボルトと、前記挿し口部材の前記係止爪に形成されて前記位置決めボルトが係合されることにより前記挿し口部材に対する前記固定リングの回転方向の位置を固定する位置決め凹部と、を有することを特徴とする請求項４に記載の仮設配管用継手付樹脂管。
【請求項６】
前記爪リングは、円周の一部を切断して形成されて前記爪リングの縮径方向の弾性変形を可能とするすり割り部と、内周面に突設された複数の円周状の爪と、外周面に形成されて前記管本体の端部に向けて外径が徐々に大きくなるテーパ面と、を有し、
前記固定リングは、該固定リングの内部に前記爪リングを有し、前記爪リングのテーパ面に接触して、前記受け口部材に対して前記固定リングを引き寄せることにより、前記爪リングを前記管本体の外周面に押圧するテーパ面を有することを特徴とする請求項４に記載の仮設配管用継手付樹脂管。
【請求項７】
合成樹脂製の管本体と、受け口部材及び挿し口部材とからなり、該両部材の接合により管路を接続可能とする金属製継手のうち、前記受け口部材が該管本体の一方端部に固定され、前記挿し口部材が他方端部に固定され、前記受け口部材及び挿し口部材が前記管本体に装着された状態のまま運搬・配管・解体・保管され繰り返し利用される仮設配管用継手付樹脂管であって、
前記受け口部材は、前記管本体が挿入される被挿入部と、該被挿入部と連通し前記挿し口部材を受け入れるべく軸方向に延在する内周面を有する受け口部とを備え、
前記挿し口部材は、前記管本体が挿入される被挿入部と、該被挿入部と連通し接続される仮設配管用継手付樹脂管の前記受け口部に挿入された状態で前記内周面と対向する外周面を有する挿し口部とを備え、
前記受け口部材は、前記被挿入部と前記受け口部との間に突出する内部突起を有し、前記挿し口部材は、前記被挿入部と前記挿し口部との間に突出する内部突起を有し、前記受け口部材及び挿し口部材の内部突起は、前記被挿入部の最奥にある最小内周部より大径で前記被挿入部の内壁に沿って円周状に形成される円周段差部を有し、
前記仮設配管用継手付樹脂管は、前記管本体の端部内周に位置する筒状部材を備えており、該筒状部材の端部は、前記受け口部材または前記挿し口部材の前記円周段差部の内周面に当接することを特徴とする仮設配管用継手付樹脂管。
【請求項８】
合成樹脂製の管本体と、受け口部材及び挿し口部材とからなり、該両部材の接合により管路を接続可能とする金属製継手のうち、前記受け口部材が該管本体の一方端部に固定され、前記挿し口部材が他方端部に固定され、前記受け口部材及び挿し口部材が前記管本体に装着された状態のまま運搬・配管・解体・保管され繰り返し利用される仮設配管用継手付樹脂管であって、
前記受け口部材は、前記管本体が挿入される被挿入部と、該被挿入部と連通し前記挿し口部材を受け入れるべく軸方向に延在する内周面を有する受け口部とを備え、
前記挿し口部材は、前記管本体が挿入される被挿入部と、該被挿入部と連通し接続される仮設配管用継手付樹脂管の前記受け口部に挿入された状態で前記内周面と対向する外周面を有する挿し口部とを備え、
前記受け口部材は、前記被挿入部の内周面の凹溝内に止水部材を有し、該止水部材が前記管本体の外周面に接触し、
前記挿し口部材は、前記被挿入部の内周面の凹溝内に止水部材を有し、該止水部材が前記管本体の外周面に接触し、
前記受け口部材は、該受け口部材の前記被挿入部側の端部の外周面に連結された固定リングと、該固定リングの内部に配置された爪リングとを有し、該爪リングが前記受け口部材の前記被挿入部側の端面に当接して前記固定リングの内部に保持され、前記固定リングにより該爪リングを前記管本体の外周面に押圧することで該管本体の端部に固定され、
前記挿し口部材は、該挿し口部材の前記被挿入部側の端部の外周面に連結された固定リングと、該固定リングの内部に配置された爪リングとを有し、該爪リングが前記挿し口部材の前記被挿入部側の端面に当接して前記固定リングの内部に保持され、前記固定リングにより該爪リングを前記管本体の外周面に押圧することで該管本体の端部に固定されることを特徴とする仮設配管用継手付樹脂管。
【請求項９】
合成樹脂製の管本体と、受け口部材及び挿し口部材とからなり、該両部材の接合により管路を接続可能とする金属製継手のうち、前記受け口部材が該管本体の一方端部に固定され、前記挿し口部材が他方端部に固定され、前記受け口部材及び挿し口部材が前記管本体に装着された状態のまま運搬・配管・解体・保管され繰り返し利用される仮設配管用継手付樹脂管であって、
前記受け口部材は、前記管本体が挿入される被挿入部と、該被挿入部と連通し前記挿し口部材を受け入れるべく軸方向に延在する内周面を有する受け口部とを備え、
前記挿し口部材は、前記管本体が挿入される被挿入部と、該被挿入部と連通し接続される仮設配管用継手付樹脂管の前記受け口部に挿入された状態で前記内周面と対向する外周面を有する挿し口部とを備え、
前記受け口部材は、前記被挿入部の内周面に止水部材を有し、該止水部材が前記管本体の外周面に接触し、
前記挿し口部材は、前記被挿入部の内周面に止水部材を有し、該止水部材が前記管本体の外周面に接触し、
前記受け口部材は、該受け口部材の前記被挿入部側の端部の外周面に装着された固定リングと、該固定リングの内部に配置された爪リングとを有し、前記固定リングにより前記爪リングを前記管本体の外周面に押圧することで該管本体の端部に固定され、
前記挿し口部材は、該挿し口部材の前記被挿入部側の端部の外周面に装着された固定リングと、該固定リングの内部に配置された爪リングとを有し、前記固定リングにより前記爪リングを前記管本体の外周面に押圧することで該管本体の端部に固定され、
各々の前記固定リングは、前記固定リングの径方向に貫通するねじ孔と、該ねじ孔にねじ込まれて先端が前記受け口部材および前記挿し口部材の外周面に対向する固定ボルトにより、前記受け口部材または前記挿し口部材の外周面に固定されることを特徴とする仮設配管用継手付樹脂管。
【請求項１０】
前記受け口部材又は挿し口部材の一方が係合爪部を有し、前記受け口部材又は挿し口部材の他方が前記係合爪部に正転で係合し逆転で解除する止め金具を有し、前記係合爪部と前記止め金具との協働によりバイオネット連結部を構成する構造を有することを特徴とする請求項７から９のいずれかに記載の仮設配管用継手付樹脂管。
【請求項１１】
前記管本体は、耐候性を有する被覆を外周面に備えることを特徴とする請求項１から１０のいずれかに記載の仮設配管用継手付樹脂管。
【請求項１２】
前記管本体は、異形管であることを特徴とする請求項１から１１のいずれかに記載の仮設配管用継手付樹脂管。
【請求項１３】
請求項１から１２のいずれかに記載の仮設配管用継手付樹脂管を用いて構成したことを特徴とする仮設配管管路。
【請求項１４】
請求項１から１２のいずれかに記載の仮設配管用継手付樹脂管に用いられている金属製継手。
【発明の詳細な説明】
【技術分野】
【０００１】
本発明は、水道管等を連結して管路を構成する仮設配管用継手付樹脂管に係り、特に、水道管の更新や補修工事の際、断水させないための仮設の管路に最適な継手付樹脂管と、この継手付樹脂管を連結する連結構造、仮設配管管路及び金属製継手に関する。
【背景技術】
【０００２】
従来、この種の水道管等の管継手構造としては、ポリエチレン製パイプの両端に、締付用フランジを備えたポリエチレン製フランジ接続部を突き合せ融着して形成されたポリエチレン製パイプを、前記各フランジ同士が対向するように複数本を直列状に配設し、対向せしめた両フランジの外周面にリング状のパッキン材を介設してその外方に挿着した二つ割り状の接続金具を縮径方向に締め込むことにより、前記両フランジを引き寄せ方向に締込み固定し、全ての前記仮設水道管路の各構成部材を前記接続金具の締込みによりリング状のパッキン材を介して順次気密状に且つ解離自在に連結する構成のものが知られている（例えば、特許文献１参照）。
【０００３】
また、従来の仮設用水道管路は、ポリエチレン製の管本体と、同じくポリエチレン製の接続ヘッドとからなる管を使用し、接続ヘッドは、管本体の両端にバッドフュージョン方式で直接結合される。そして、接続ヘッドの先端部外周にはリング状の係止用細溝があり、管の接続は、突合せ配置した両接続ヘッドを、係止用細溝を利用して適当な接続具で行う（例えば、特許文献２参照）。
【０００４】
さらに、現状の水道管工事で、既設の古い水道管を交換する場合、近隣住民に断水等の不便をかけないために仮設の水道管を敷設している。この場合、仮設水道管として鋼管、ポリエチレン管（ＰＥ管）を継手等で接続して仮設管路を構成している。ＰＥ管は軽量で作業性がよいと共に、柔軟で地盤形状に追従し耐震性に優れており、鋼管は重量が大きく作業性が悪いが強度が大きいという長所がある。
【先行技術文献】
【特許文献】
【０００５】
【特許文献１】特許第４１３７５６２号公報
【特許文献２】特開２００２−３２７８５９号公報
【発明の概要】
【発明が解決しようとする課題】
【０００６】
ところで、前記特許文献１及び２に記載の技術では、パッキン材の取付け、接続金具のボルトの締め付け等で作業性が悪く、ポリエチレン製のフランジは突き合わせで連結されるため強度が小さく、管に曲げや引張りが加わった際にフランジが変形しやすく、漏水しやすいという問題点があった。また、管端に管端接続部をバットフュージョン方式で融着する必要があるため、切り管などには対応できないという問題点もあった。さらに、鋼管を用いて仮設管路を構成する場合、口径が大きくなると重量が大きく作業性が悪く、取り外す際にも固く抜き難いという問題点もあった。また、仮設管路を構成した管本体、継手、その他の部材等を再使用する場合、各部材に傷が付く等の不具合が発生し、リユースに最適な管本体や継手等を用いた仮設管路はなかった。
【０００７】
本発明は、このような問題に鑑みてなされたものであって、その目的とするところは、配管同士の連結部分の強度が大きく、耐震性に優れており、連結作業が容易で、漏水が起こり難く、配管等の再利用が容易に行える仮設配管用継手付樹脂管、仮設配管用継手付樹脂管の連結構造、仮設配管管路及び金属製継手を提供することにある。また、仮設配管管路を構成した管本体や継手等の部材を撤去したとき、各部材は再使用しやすい状態であり、各部材に傷等が付き難く、再使用をしたときに安定した品質を保つことができる仮設配管用継手付樹脂管を提供することにある。
【課題を解決するための手段】
【０００８】
前記目的を達成すべく、本発明に係る仮設配管用継手付樹脂管は、合成樹脂製の管本体と、受け口部材及び挿し口部材とからなり、該両部材の接合により管路を接続可能とする金属製継手のうち、前記受け口部材が該管本体の一方端部に固定され、前記挿し口部材が他方端部に固定された仮設配管用継手付樹脂管であって、前記受け口部材及び挿し口部材が前記管本体に装着された状態のまま運搬・配管・解体・保管され繰り返し利用されることを特徴としている。このように構成された仮設配管用継手付樹脂管では、受け口部材及び挿し口部材が管本体に装着された状態のまま運搬・配管・解体・保管されるため、仮設配管管路を撤去する労力を少なくできると共に、再使用の労力を削減でき、効率良く仮設配管管路の設置や撤去を行うことができる。
【０００９】
本発明に係る継手付樹脂管の好ましい具体的な態様としては、前記受け口部材は、前記管本体が挿入される被挿入部と、該被挿入部と連通し前記挿し口部材を受け入れるべく軸方向に延在する内周面を有する受け口部とを備え、前記挿し口部材は、前記管本体が挿入される被挿入部と、該被挿入部と連通し接続される仮設配管用継手付樹脂管の前記受け口部に挿入された状態で前記内周面と対向する外周面を有する挿し口部とを備え、前記管本体の端面は前記被挿入部に内包されることを特徴としている。前記のごとく構成された本発明の仮設配管用継手付樹脂管では、軽量な合成樹脂製の管本体を金属製の継手である受け口部材や挿し口部材を使用し、受け口部材の受け口部に挿し口部材の挿し口部を挿入し、受け口部の外周面と挿し口部の内周面とを対向させ、管本体の端面を被挿入部に内包しており、複数の管本体を強固に連結して仮設配管管路を形成することができ、地震等で仮設配管管路に外力が加わっても変形を抑えることができる。
【００１０】
また、本発明に係る継手付樹脂管の好ましい他の具体的な態様としては、前記受け口部材又は挿し口部材の一方が係合爪部を有し、前記受け口部材又は挿し口部材の他方が前記係合爪部に正転で係合し逆転で解除する止め金具を有し、前記係合爪部と前記止め金具との協働によりバイオネット連結部を構成する構造を有することを特徴としている。この構成によれば、止め金具を正転することで、受け口部材又は挿し口部材の一方の係合爪部を他方に係合させ、逆転することで解除することができ、バイオネット連結部により簡単な操作で継手付樹脂管を連結することができる。
【００１１】
前記受け口部材は、前記被挿入部と前記受け口部との間に突出する内部突起を有し、前記挿し口部材は、前記被挿入部と前記挿し口部との間に突出する内部突起を有することが好ましく、前記受け口部材及び挿し口部材の内部突起は、前記被挿入部の内壁に沿って円周状に形成され、前記管本体の外周より小さい内径で形成されることが好ましい。そして、前記仮設配管用継手付樹脂管は、前記管本体の端部内周に位置する筒状部材を備えており、該筒状部材の端部は、前記内部突起に当接することが好ましい。このように構成された仮設配管用継手付樹脂管では、管本体の端部に筒状部材を挿し込み、この端部を受け口部材や挿し口部材の円周状の内部突起に当接させて軸芯を合わせることができ、管本体の連結を容易に行なうことができる。なお、筒状部材の材質は金属等、適宜の材質を使用することができる。
【００１２】
さらに、本発明に係る継手付樹脂管の好ましい具体的な他の態様としては、前記受け口部材は、前記被挿入部の内周面に止水部材を有し、該止水部材が前記管本体の外周面に接触し、前記挿し口部材は、前記被挿入部の内周面に止水部材を有し、該止水部材が前記管本体の外周面に接触し、前記受け口部材は、前記受け口部と反対側の外周面に連結された固定リングとその内部に爪リングを有し、前記固定リングにより該爪リングを前記管本体の外周面に押圧することで該管本体の端部に固定され、前記挿し口部材は、前記挿し口部と反対側の外周面に連結された固定リングとその内部に爪リングを有し、前記固定リングにより該爪リングを前記管本体の外周面に押圧することで該管本体の端部に固定されることを特徴としている。この構成によれば、固定リングにより爪リングを管本体の外周面に押圧して、強固に連結することができる。
【００１３】
さらに、前記管本体は、耐候性を有する被覆を外周面に備えることが好ましい。このように構成された仮設配管用継手付樹脂管では、合成樹脂製の管本体を金属製の継手で連結して水道管等の仮設配管管路を形成し、この管路が土中に埋設されず露出している場合でも、外光や天候による樹脂製管本体の強度低下を防止することができる。また、前記管本体は、異形管であってもよい。チーズやエルボ等の直管でない樹脂管や、特殊形状の樹脂管等の異形管の場合でも、金属製の継手として受け口部材や挿し口部材を端部に固定して、容易に仮設配管管路を構成することができる。
【００１４】
本発明に係る仮設配管用継手付樹脂管の連結構造では、前記受け口部材及び挿し口部材は、前記受け口部に前記挿し口部が嵌合したとき前記挿し口部の外周面と前記受け口部の内周面との間に止水部材が介在され、前記止め金具により前記受け口部材及び挿し口部材の一方に備えられた係合爪部をその他方に係合させて前記受け口部材と前記挿し口部材とを連結することを特徴としている。このように構成された継手付樹脂管の連結構造では、挿し口部の外周面と受け口部の内周面との間に装着されたＯリング等の止水部材により漏水が防止され、止め金具で係合爪部を係合させて受け口部材と挿し口部材とを連結するため、連結作業が容易となり確実に連結することができる。
【００１５】
前記止め金具は、その外周に複数の操作用の突起が形成されていると好ましい。この構成によれば、外周の操作用の複数の突起に指をかけ、止め金具を容易に回転させて管本体同士を容易に連結することができる。また、前記止め金具は、前記受け口部材又は挿し口部材の少なくとも一方に係合する回転防止手段により、その回転が阻止されることが好ましい。この構成によれば、止め金具が不用意に回転することがなく、連結状態を安定させることができる。
【００１６】
本発明に係る仮設配管管路は、前記のいずれかに記載の仮設配管用継手付樹脂管を用いて構成している。この構成によれば、軽量で変形が許容される樹脂管を、金属製の強固な継手で連結し、地震等による外力が加わっても、変形による漏水が防止され、安定した仮設配管管路を構成することができる。また、本発明に係る金属製継手は、前記のいずれかに記載の仮設配管用継手付樹脂管に用いられているものである。この構成によれば、金属製継手を合成樹脂製の樹脂管の端部に装着して、容易に仮設配管管路を構成することができる。
【発明の効果】
【００１７】
本発明の仮設配管用継手付樹脂管及びその継手付樹脂管の連結構造は、軽量の合成樹脂管を金属製の継手で連結するため、施工が容易で、地震等で仮設配管管路に外力が作用しても管路が変形して漏水が発生することを防止できる。また、被挿入部の内周面にＯリング等の止水部材を有しており、この止水部材が管本体の外周面に接触しており、挿し口部の外周面と受け口部の内周面との間にＯリング等の止水部材が介在されているため、漏水を防止することができる。また、受け口部材及び挿し口部材が管本体に装着された状態のまま運搬・配管・解体・保管されるため、再使用が効率良く行える。
【図面の簡単な説明】
【００１８】
【図１】本発明に係る継手付樹脂管の連結構造を示す一実施形態を示し、（ａ）は一部を破断した正面図、（ｂ）はそのＤ１−Ｄ１線断面図、（ｃ）はそのＤ２−Ｄ２線断面図。
【図２】図１の連結構造で使用する受け口部材を示し、（ａ）は左側面図、（ｂ）はそのＤ３−Ｄ３線に沿う一部破断の正面図、（ｃ）は右側面図、（ｄ）はそのＤ４−Ｄ４線に沿う要部矢視図。
【図３】図１の連結構造で使用する挿し口部材を有し、（ａ）は左側面図、（ｂ）はそのＤ５−Ｄ５線に沿う一部破断の正面図、（ｃ）は右側面図。
【図４】図１の連結構造で使用する止め金具を示し、（ａ）は左側面図、（ｂ）はそのＤ６−Ｄ６線に沿う一部破断の正面図、（ｃ）は右側面図、（ｄ）はそのＤ７−Ｄ７線に沿う矢視図。
【図５】図１の連結構造で使用する固定リングを示し、（ａ）は左側面図、（ｂ）はそのＤ８−Ｄ８線に沿う一部破断の正面図、（ｃ）は右側面図。
【図６】図１の連結構造で使用する爪リングを示し、（ａ）は左側面図、（ｂ）はそのＤ９−Ｄ９線に沿う断面図、（ｃ）は受け口部材と爪リングと固定リングの固定部、及びインナーコアと内部突起の当接部の詳細を示す要部断面図。
【図７】図１の連結構造で使用するインナーコアを示し、（ａ）はその一部を破断した正面図、（ｂ）は右側面図。
【図８】図１の連結構造で使用する回転防止手段を示し、（ａ）は、ストッパの斜視図、（ｂ）はその平面図、（ｃ）は一部を破断した左側面図、（ｄ）は（ａ）のＤ１０−Ｄ１０線に沿う要部断面図、（ｅ）は結束バンドを示す斜視図。
【図９】本発明に係る継手付樹脂管と、その連結構造を用いて構成した仮設配管管路のシステム構成図。
【発明を実施するための形態】
【００１９】
以下、本発明に係る継手付樹脂管と、その連結構造の一実施形態を図面に基づき詳細に説明する。図１は、本実施形態に係る継手付樹脂管を連結した状態を示す一部を破断した正面図と断面図であり、図２は図１で使用する継手としての受け口部材の左側面図、一部破断正面図、右側面図要部矢視図であり、図３は図１で使用する継手として挿し口部材の左側面図、一部破断正面図、右側面図であり、図４は受け口部材と挿し口部材とを連結する止め金具の左側面図、一部破断正面図、右側面図要部矢視図であり、図５は受け口部材及び挿し口部材を管本体に固定する固定リングの左側面図、一部破断正面図、右側面図であり、図６は固定リングで管本体に押圧される爪リングの左側面図、断面図であり、図７は管本体の端部内周にはめ込むインナーコアの一部破断正面図、右側面図であり、図８は回転防止手段を示すストッパの斜視図、平面図、一部破断左側面図、要部断面図、結束バンドの斜視図である。
【００２０】
図１〜８において、管本体１，２は合成樹脂製のパイプで構成され、例えばポリエチレン製の押出成形されたパイプで、呼び径が１００ｍｍ、７５ｍｍ、５０ｍｍ等のものが用いられる。管本体１，２は金属製の鋼管と比較して軽量であり、強度は鋼管と比較して低い構成となっている。本実施形態では、古くなった上水道の水道管を断水させずに交換するべく、仮設の水道管路を形成するために、合成樹脂製の管本体を金属製の継手で連結して仮設配管管路を形成するためのものである。
【００２１】
管本体１の一方の端部には継手の一方として受け口部材１０が固定され、他方の管本体２の端部には継手の他方として挿し口部材２０が固定される。１つの管本体の一端に受け口部材１０を固定し、他端に挿し口部材２０を固定して継手付樹脂管を構成してもよい。管本体１の一方の端部（右端）に継手として受け口部材１０が固定され、管本体２の他方の端部（左端）に他方の継手として挿し口部材２０が固定され、受け口部材１０に形成された受け口部１１に、挿し口部材２０に形成された挿し口部２１を挿入させて連結することで継手付樹脂管の連結構造が構成される。受け口部材１０及び挿し口部材２０は金属で構成され、具体的にはアルミニウム鋳物や鋳鉄等で構成され、合成樹脂製の管本体１，２と比較して重量が大きく強度の大きいものである。受け口部材１０や挿し口部材２０が管本体１，２に装着された仮設配管用継手付樹脂管は、装着された状態のまま運搬・配管・解体・保管され繰り返し利用されるものである。
【００２２】
受け口部材１０は図１，２に示されるように、管本体１の外周側に位置する筒状の円筒部１２の内部に管本体１の端部が挿入した状態で固定される被挿入部１２ａが形成され、被挿入部１２ａに連通する内部通路１１ａが形成され、内部通路１１ａと連通し挿し口部材２０を受け入れるべく軸方向に延在する内周面を有する受け口部１１とが形成されている。被挿入部１２ａの奥に内周方向へ突出する内部突起として管本体１の外径より小さい内径の円周状の内周突部１３が形成され、内周突部１３の円筒部１２と反対方向に軸方向に、挿し口部材２０を受け入れる受け口部１１が形成されている。受け口部材１０の被挿入部１２ａに管本体１の端部が挿入されたとき、管本体１の端面は被挿入部１２ａに内包される。
【００２３】
すなわち、円筒部１２の内壁の中間部に内周突部１３がリング状に突出し、内周突部１３の一方側の被挿入部１２ａに管本体１の端部が挿入して固定され、内周突部１３の他方側の受け口部１１に他の管本体２に固定された挿し口部材２０の挿し口部２１が挿入される構成となっている。内周突部１３は被挿入部１２ａ内に管本体１を挿入したときに先端が突き当たる構成で、管本体１が確実に挿入されたことを確認できる機能を有する。また、内周突部１３には円周段差部１３ａが形成されている。そして、円筒部１２の内周面に、円周状に沿って凹溝１２ｂが形成され、この凹溝内には管本体１の外周面に接触する止水部材としてＯリング１４が挿入されている。
【００２４】
管本体１の端部に継手として固定される受け口部材１０の開放端部側には前記受け口部１１が形成され、受け口部１１の端面に沿って外周方向にフランジ部１５が形成されている。このフランジ部１５は、止め金具３０との協働により、管本体１，２に固定された受け口部材１０と挿し口部材２０とを連結するバイオネット連結部として機能する。フランジ部１５は図２（ｃ）に示されるように、４つの円周状の係合爪部１５ａで構成されており、４つの係合爪部１５ａの間には後述する止め金具３０の４つの係止爪３３が進入できる切欠き部１５ｂが形成され、１つの係止爪部１５ａには後述する回転防止手段であるストッパ３５が係合する係合凹部１５ｃが形成されている。係合爪部１５ａの開放側の端面は平坦面であり、係合爪部１５ａの反対側の内面にはテーパ面１５ｄが形成されている。
【００２５】
受け口部材１０の反対側の端部、すなわち管本体１側の端部には、受け口部材１０を管本体１に固定するための後述する固定リング１８が係合される４つの係止爪１６が外周方向に延出して形成されている。係止爪１６は上下左右の方向に外周方向に所定の幅、厚さで形成され、４つの爪の間は切欠き部１６ａとなっており、固定リング１８の係止爪１８ｂを受け入れる形状となっている。また、上部の１つの係止爪１６には固定リング１８を位置決めする位置決め凹部１６ｂが形成されている。
【００２６】
受け口部材１０は、円筒部１２の受け口部１１と反対側の端面に接する爪リング１７と、爪リング１７及び円筒部１２の外周側に連結された固定リング１８により、該爪リング１７を管本体１の外周面に押圧することで管本体１の端部に固定される。固定リング１８は図５に示されるようにリング状をしており、受け口部材１０の４つの係止爪１６を受け入れる開口部１８ａを有すると共に、係止爪１６が係合する係止爪１８ｂが内周方向に突出形成されている。固定リング１８は、内周部に形成された４つの係止爪１８ｂと受け口部材１０の係止爪１６が重なって合わさり、さらに１つの大径のねじ孔１８ｄに位置決めボルト１８ｅ（図１参照）がねじ込まれることで受け口部材１０の円筒部１２の先端に固定されるように構成されている。大径のねじ孔１８ｄにねじ込まれる位置決めボルト１８ｅは受け口部材１０の係止爪１６の１つに形成された位置決め凹部１６ｂに係合する構成となっている。
【００２７】
爪リング１７はジュラコン等の合成樹脂製で円周状に形成され、図６に示されるように、円周の一部が切断されたすり割部１７ａが形成され、縮径方向の弾性変形が可能となっている。爪リング１７の内周面には複数の円周状の爪１７ｂが突設され、外周面は管本体１の端部に向けて外径が徐々に大きくなるテーパ面に形成されている。爪リング１７の外周側に位置し受け口部材１０に連結された固定リング１８は爪リング１７の外周のテーパ面に対接するテーパ面１８ｆを有し、爪リング１７をテーパ面に沿って押し込むことで爪リング１７を管本体１に押圧する構成となっている。爪リング１７の大径側の端面には受け口部材１０の円筒部１２の受け口部１１と反対側の端面が対接するように構成され、両端面の外径はほぼ等しくなっている。
【００２８】
挿し口部材２０は図１，３に示されるように、管本体２の外周側に位置する筒状の円筒部２２の内部に管本体２の端部が挿入した状態で固定される被挿入部２２ａが形成され、被挿入部２２ａに連通する内部通路２１ａが形成され、前記受け口部１１に挿入された状態で前記内周面と対向する外周面を有する挿し口部２１が形成されている。挿し口部２１は受け口部材１０の受け口部１１に挿入できる内径に設定されている。内部通路２１ａは挿し口部２１の端面に開口している。被挿入部２２ａの奥に内周方向へ突出する内部突起として管本体２の外径より小さい内径の円周状の内周突部２３が形成されている。挿し口部材２０の被挿入部２２ａに管本体２の端部が挿入されたとき、管本体２の端面は被挿入部２２ａに内包される。
【００２９】
すなわち、円筒部２２の内壁の中間部に内周突部２３がリング状に突出し、内周突部２３の一方側の被挿入部２２ａに管本体２の端部が挿入した状態で固定され、内周突部２３の他方側の挿し口部２１が他の管本体１に固定された受け口部材１０に形成された受け口部１１に挿入される構成となっている。内周突部２３は被挿入部２２ａ内に管本体２を挿入したときに先端が突き当たる構成で、管本体２が確実に挿入されたことを確認できる機能を有する。また、内周突部２３には内部突起として円周段差部２３ａが形成されている。そして、円筒部２２の内周面に、円周状に沿って凹溝２２ｂが形成され、この凹溝内には管本体２の外周面に接触する止水部材としてＯリング２４が挿入されている。
【００３０】
管本体２の端部に継手として固定される挿し口部材２０の開放端部側には前記挿し口部２１が形成され、挿し口部２１の根元、すなわち、円筒部２２と挿し口部２１との間には外周方向に突出してフランジ部２５が形成されている。このフランジ部２５は、管本体１，２を連結するバイオネット連結部として機能する前記止め金具３０が支持される。フランジ部２５は図３（ｂ）、（ｃ）に示されるように、円筒部２２と挿し口部２１との間から外周方向に全周にわたって形成されている。
【００３１】
挿し口部材２０の反対側の端部、すなわち管本体２側の端部には、挿し口部材２０を管本体２に固定するための後述する固定リング２８が係合される４つの係止爪２６が外周方向に延出して形成されている。係止爪２６は上下左右の方向に外周方向に所定の幅、厚さで形成され、４つの爪の間は切欠き部２６ａとなっており、固定リング２８の係止爪２８ｂを受け入れる形状となっている。また、上部の１つの係止爪２６には固定リング２８を位置決めする位置決め凹部２６ｂが形成されている。
【００３２】
挿し口部材２０は、円筒部２２の挿し口部２１と反対側の端面に接する爪リング２７と、爪リング２７及び円筒部２２の外周側に連結された固定リング２８により、該爪リング２７を管本体２の外周面に押圧することで管本体２の端部に固定される。爪リング２７及び固定リング２８は受け口部材１０を管本体１に固定する爪リング１７及び固定リング１８と基本的に同じ構成であり、図５に示されるようにリング状をしており、挿し口部材２０の４つの係止爪２６を受け入れる開口部２８ａを有すると共に、係止爪２６が係合する係止爪２８ｂが内周方向に突出形成されている。固定リング２８も外周部に形成された４つの小径のねじ孔２８ｃに固定ボルト（図示せず）がねじ込まれ、１つの大径のねじ孔２８ｄに位置決めねじ２８ｅ（図１参照）がねじ込まれることにより、挿し口部材２０の円筒部２２の先端に位置決めされて固定されるように構成されている。大径のねじ孔２８ｄにねじ込まれる位置決めボルト２８ｅは挿し口部材２０の係止爪２６の１つに形成された位置決め凹部２６ｂに係合する構成となっている。挿し口部２１には外周面に凹溝２１ａが形成され、この凹溝内に止水部材としてＯリング２９が装着される。Ｏリング２９は受け口部材１０の受け口部１１の内周面に弾接する構成となっている。
【００３３】
受け口部材１０の開放端部に形成されているフランジ部１５と挿し口部材２０の挿し口部２１の基部に形成されているフランジ部２５は、バイオネット連結部を構成する止め金具３０により連結固定される。前記のように、受け口部材１０と挿し口部材２０とを連結するとき、受け口部１１に挿し口部２１を挿入させると受け口部材１０のフランジ部１５と挿し口部材２０のフランジ部２５とは対接する。止め金具３０は図４に示されるように、両フランジ部１５，２５の外周を覆うリング状に形成され、軸方向の中間部に両フランジ部が挟み込まれる中央溝部３１が形成され、この中央溝部の一方には挿し口部材２０のフランジ部２５と係合する４つの係合爪部３２が形成されている。すなわち、４つの係合爪部３２の内径はフランジ部２５の外径より小さく設定され、フランジ部２５が通過できない内径となっている。この構成により、止め金具３０は挿し口部材２０の軸方向あるいは管本体１，２の軸方向を中心として回転可能に支持される。
【００３４】
また、中央溝部３１の他方には受け口部材１０のフランジ部１５と係合する４つの係止爪３３が形成され、この係止爪と連続して止め金具３０を軸方向を中心として回転させるための４つの外周突起３０ａが形成されている。係止爪３３の内径は受け口部材１０のフランジ部１５に形成された４つの係合爪部１５ａの外径より小さく設定され、フランジ部１５が通過できない内径となっている。また、係止爪３３は９０度の等間隔で４つ形成され、それらの中間は内径の大きい通過部３３ａとなっており、フランジ部１５の係合爪部１５ａが通過できる内径となっている。
【００３５】
このように、フランジ部１５の係合爪部１５ａを通過部３３ａに合わせて中央溝部３１内に挿入し、止め金具３０を所定角度だけ正転させると、バイオネット結合によりフランジ部１５に形成された係合爪部１５ａと止め金具３０の係止爪３３とを係合させ連結すると共に、逆転させると解除させることができる構成となっている。また、係合爪部１５ａの外面はテーパ面となっており、止め金具３０を回転させると係止爪３３がテーパ面に接して２つのフランジ部同士を密着させることができる構成となっている。止め金具３０は挿し口部材２０の小径の円筒部２２側から通過させ、フランジ部２５に係合させることができる。
【００３６】
管本体１，２の端部には補強用の筒状部材としてインナーコア４０が圧入状態に装着されている。インナーコア４０は図７に示されるように、厚さが１ｍｍ程度のステンレスパイプで構成され、挿入先端側が先細となるようにつぼめられた先細部４１であり、後端側が徐々に広げられた拡径部４２となっている。インナーコア４０の中心部４３の外径は管本体１，２の内径より小さく、管本体内に緩く嵌合するように形成され、後端の拡径部４４側の外径は管本体の内径とほぼ等しいように形成され、後端の外周の３個所には外方に張り出した接触部４４が形成されている。この接触部４４の外径は管本体１，２の内径より僅かに大きく、インナーコア４０を管本体１，２内に挿入すると接触部４４が樹脂管の内壁に弾接して固定されるように構成されている。
【００３７】
インナーコア４０は管本体１，２の開放端部に挿入され、接触部４４が管本体の内面に接触したとき、インナーコア４０は管本体から１０〜２０ｍｍ程度突出するように保持される。そして、管本体１から突出したインナーコア４０の後端部は、受け口部材１０の内周突部１３に形成された円周段差部１３ａに当接するように構成され、管本体２から突出したインナーコア４０の後端部は、挿し口部材２０の内周突部２３に形成された円周段差部２３ａに当接するように構成されている。
【００３８】
本実施形態の継手付樹脂管の連結構造では、止め金具３０で管本体１と管本体２とを連結した状態を保持するために、止め金具３０の回転防止手段を備えている。この回転防止手段は、図１（ｃ）に示すように、受け口部材１０のフランジ部１５に形成された係合凹部１５ｃにストッパ３５を係合させ、このストッパに結束バンド３６を通して止め金具３０の外周リング部を結束バンドで縛ることで止め金具３０の回転を防止し、連結状態を保持するものである。なお、回転防止手段は、結束バンド３６を通したストッパ３５を係合凹部１５ｃに係合させ、止め金具３０の外周リング部を結束バンドで縛ることで回転を防止させる方法でもよい。
【００３９】
ストッパ３５は図８に示されるように、受け口部材１０のフランジ部１５に形成された係合凹部１５ｃに嵌合するロック片３５ａと、結束バンド３６のバンド部が挿入できる貫通孔３５ｂとを有している。結束バンド３６は例えば電気コード等を束ねるためのもので、ナイロン等で形成されている。ヘッド部３６ａの挿通孔３６ｂ内にロック爪３６ｃを有しており、長尺で鋸歯状の抜け止めの刻みが形成されたバンド部３６ｄを挿通孔３６ｂに通し、バンド部の刻みにロック爪３６ｃをロックさせて固定するものである。図１（ｃ）に示すように、ストッパ３５を受け口部材１０の係合凹部１５ｃに嵌合させ、結束バンド３６のバンド部を貫通孔３５ｂに通し、バンド部をロック片３５ａの下方に回して、さらに止め金具の外周リング部上方に回し、バンド部３６ｄを貫通孔３５ｂに通して抜け止めすることで、止め金具３０の回転を防止するものである。
【００４０】
前記の如く構成された本実施形態の継手付樹脂管の連結動作について以下に説明する。管本体１の一端部（図１で右端）に継手として受け口部材１０を固定するとき、先ず、管本体１の右端の開口からインナーコア４０を差し込む。インナーコア４０は先端部（図１で左端）が先細部４１であり、容易に差し込むことができる。インナーコア４０を管本体１に挿入すると、拡径の接触部４４が管本体１の内壁に突き当たり３つの接触部４４で管本体１の内壁に保持される。このとき、インナーコア４０の後端部（図１で右端）は管本体１より１０〜２０ｍｍ程度突出した状態となる。管本体１の開放端部にインナーコア４０を挿入することで、樹脂製の管本体１の端部を補強することができる。
【００４１】
このあと、管本体１の外周に固定リング１８を開放端から外嵌し、さらに爪リング１７を開放端から外嵌し、固定リング１８の内部に爪リング１７を位置させる。この状態では爪リング１７の外周のテーパ面は固定リング１８の内周のテーパ面１８ｆに接触している。ついで、管本体１の右端部に受け口部材１０を固定するべく円筒部１２の内周面の凹溝１２ｂ内にＯリング１４を装着し、被挿入部１２ａの内部にインナーコア４０付の管本体１を挿入し、内周突部１３の円周段差部１３ａにインナーコア４０の右端の突出部を係合させる。このように内周にインナーコア４０を取り付けた管本体１を受け口部材１０の被挿入部１２ａに挿入し、インナーコアの先端部を内周突部１３の円周段差部１３ａに係合させることで管本体１と受け口部材１０とを軸心を合わせて位置決めすることができると共に、管本体１が受け口部材１０内の奥まで挿入されたことを確認できる。また、管本体１，２の端部にインナーコア４０を挿入固定させることで、受け口部材１０や挿し口部材２０を爪リング１７，２７、固定リング１８，２８を用いて固定する際に、爪リング１７，２７が柔らかい樹脂製の管本体１，２に食い込んで、管本体端部が変形するのを防止することができる。
【００４２】
管本体１に受け口部材１０を位置決めしたあと、係止爪１６と固定リング１８の開口部１８ａの位置のはめ合いを合わせ、受け口部材１０に対して固定リング１８を引き寄せると、受け口部材の左端の端面に爪リング１７の対向する端面が押圧され、爪リング１７は固定リング１８のテーパ面により内周方向に管本体１の外周面を押圧する。このあと、その外周面を押圧した状態で固定リング１８の４つのねじ孔１８ｃに固定ボルトをねじ込み、係止爪１６の円筒部１２側に固定ボルトの先端を出すことにより、その押圧による反力を受け止める。このとき、受け口部材１０と固定リング１８は接触していない。そして、固定リング１８に対して受け口部材１０を回転させて係止爪１６と係止爪１８ｂを重ね合わせる。その押圧による反力を受け止めることができ、受け口部材１０と係合して一緒に回転可能な治具がある場合は、ねじ孔１８ｃにねじ込む固定ボルトはなくてもよい。受け口部材１０の位置決め凹部１６ｂと固定リング１８のねじ孔１８ｄを合わせて位置決めボルト１８ｅをねじ込むと、固定リング１８が回転方向に対して固定される（図６ｃ参照）。このように、固定リング１８と爪リング１７は管本体１に固定される。これにより、管本体１の一方の端部に継手として受け口部材１０が固定される。樹脂製の管本体１と金属製の受け口部材１０との固定は、金属製のインナーコア４０が直接金属製の受け口部材１０の内周突部１３の円周段差部１３ａに当接するため、固定状態が安定している。また、管本体１の端面は被挿入部１２ａに内包されるため、管本体１の端部を保護することができる。
【００４３】
つぎに、もう一方の管本体２の一端部（図１で左端）に継手として挿し口部材２０を固定する。先ず、管本体２の左端の開口からインナーコア４０を差し込む。この場合も、受け口部材１０の場合と同様に、インナーコア４０は先端部（図１で右端）が先細部４１であり、容易に差し込むことができる。インナーコア４０を管本体２に挿入すると、拡径の接触部４４が管本体２の内壁に突き当たり３つの接触部４４で管本体２の内壁に保持される。このとき、インナーコア４０の後端部（図１で左端）は管本体２より１０〜２０ｍｍ程度突出した状態となる。そして、管本体１の場合と同様に管本体２の場合も、樹脂製の管端部への流体の圧力による変形を防止することができる。
【００４４】
このあと、管本体１の場合と同様に、管本体２の外周に固定リング２８を開放端から外嵌し、さらに爪リング２７を開放端から外嵌し、固定リング２８の内部に爪リング２７を位置させる。この状態では爪リング２７の外周のテーパ面は固定リング２８の内周のテーパ面２８ｆに接触している。ついで、管本体２の左端部に挿し口部材２０を固定するべく円筒部２２の内周面の凹溝２２ｂ内にＯリング２４を装着し、円筒部２２の挿し口部２１と反対側から止め金具３０を外嵌させて左方に移動し、フランジ部２５に止め金具３０を押し付ける。止め金具３０は４つの係合爪部３２によりフランジ部２５の通過を阻止される。
【００４５】
そして、挿し口部材２０のフランジ部２５に止め金具３０を係合させた状態で、円筒部２２の内部の被挿入部２２ａにインナーコア４０付の管本体２を挿入し、内周突部２３の円周段差部２３ａにインナーコア４０の左端の突出部を係合させる。このように内周にインナーコア４０を取り付けた管本体２を挿し口部材２０の被挿入部２２ａに挿入し、インナーコアの先端部を内周突部２３の円周段差部２３ａに係合させることで管本体２と挿し口部材２０とを軸心を合わせて位置決めすることができると共に、管本体２が挿し口部材２０内の奥まで挿入されたことを確認できる。
【００４６】
管本体２に挿し口部材２０を位置決めしたあと、係止爪２６と固定リング２８の開口部２８ａの位置のはめ合いを合わせ、挿し口部材２０に対して固定リング２８を引き寄せると、挿し口部材の右端の端面に爪リング２７の対向する端面が押圧され、爪リング２７は固定リング２８のテーパ面により内周方向に管本体２の外周面を押圧する。このあと、その外周面を押圧した状態で固定リング２８の４つのねじ孔２８ｃに固定ボルトをねじ込み、係止爪２６の円筒部２２側に固定ボルトの先端を出すことにより、その押圧による反力を受け止める。このとき、挿し口部材２０と固定リング２８は接触していない。そして、固定リング２８に対して挿し口部材２０を回転させて係止爪２６と係止爪２８ｂを重ね合わせる。その押圧による反力を受け止めることができ、挿し口部材２０と係合して一緒に回転可能な治具がある場合は、ねじ孔２８ｃにねじ込む固定ボルトはなくてもよい。挿し口部材２０の位置決め凹部２６ｂと固定リング２８のねじ孔２８ｄを合わせて位置決めボルト２８ｅをねじ込むと、固定リング２８が回転方向に対して固定される。このように、固定リング２８と爪リング２７は管本体２に固定される。これにより、管本体２の一方の端部に継手として挿し口部材２０が固定される。樹脂製の管本体２と金属製の挿し口部材２０との固定は、金属製のインナーコア４０が直接金属製の挿し口部材２０の内周突部２３の円周段差部２３ａに当接するため、固定状態が安定している。また、管本体２の端面は被挿入部２２ａに内包されるため、管本体２の端部を保護することができる。本実施の形態では、管本体１，２はポリエチレン等の合成樹脂製であるため軽量に構成され、継手である受け口部材１０の管本体１への固定作業及び挿し口部材２０の管本体２への固定作業が容易に行える。
【００４７】
このようにして受け口部材１０を取り付けた継手付の管本体１と、挿し口部材２０を取り付けた継手付の管本体２とを連結する動作について、以下に説明する。挿し口部材２０の挿し口部２１に形成された凹溝２１ａ内にＯリング２９を外嵌し、凸状に形成された挿し口部２１を受け口部材１０の凹状に形成された受け口部１１内に挿入する。受け口部材１０の受け口部１１に挿し口部材２０の挿し口部２１を奥まで押し込むと、受け口部材１０のフランジ部１５と挿し口部材２０のフランジ部２５とが接触し、挿し口部材２０の凹溝２１ａ内に装着されたＯリング２９は受け口部１１の内周面に弾接して、Ｏリング部分での漏水を防止する。受け口部材１０の受け口部１１に挿し口部材２０の挿し口部２１が嵌合して連結され、受け口部１１の内周面と挿し口部２１の外周面とが対向するため、フランジなどの面合わせによる止水方法より止水性能が良くなる。
【００４８】
管本体１の一端部に固定した受け口部材１０の受け口部１１に、管本体２の一端部に固定した挿し口部材２０の受け口部２１を挿入したあと、止め金具３０を挿し口部材２０の円筒部２２で回転させ、止め金具３０の係止爪３３とフランジ部１５の切欠き部１５ｂとを一致させ、止め金具３０を受け口部材方向（左方）に移動させ、止め金具３０の中央溝部３１内に両方のフランジ部１５，２５を位置させる。そして、止め金具３０を軸心を中心として図１（ｂ）で反時計回転方向に回転させると、係止爪３３が係合爪部１５ａのテーパ面１５ｄに沿って移動し、係止爪３３が係合爪部１５ａに係合し、フランジ部２５に対してフランジ部１５を引き寄せて密着させる。これにより、受け口部材１０の内部通路１１ａと挿し口部材２０の内部通路２１ａとが連通する。止め金具３０を逆転させると、係止爪３３と係合爪部１５ａとの係合を解除して連結を外すことができる。
【００４９】
止め金具３０を左回りに回転させてフランジ部２５にフランジ部１５を密着させたあと、止め金具３０の回転防止を行う。止め金具３０を左回転させた状態のとき、フランジ部１５の係合凹部１５ｃに、図８で示されるストッパ３５を挿入し、例えばナイロン製の結束バンド３６で止め金具３０を縛って固定する。これにより、止め金具３０は逆転することが阻止され、ロック状態とされる。樹脂製の管本体１と管本体２とは、金属製の受け口部材１０と挿し口部材２０、及び止め金具３０により受け口部１１内に挿し口部２１を挿入して連結されるため、連結部分は動かないように固定され強度が大きくなっており、漏水等の発生を抑えることができる。また、地震等で連結部に外力が加わっても変形することが防止され、管本体の柔軟性を十分に生かして、仮設配管管路の耐震性を向上することができる。また、重量物は管路の連結部分のみなので、施工作業が容易となる。
【００５０】
このようにして受け口部材１０を取り付けた継手付の管本体１と、挿し口部材２０を取り付けた継手付の管本体２とを連結すると、管本体１の内周に固定したインナーコア４０は受け口部材１０の円周段差部１３ａに当接し、挿し口部材２０の内周に固定したインナーコア４０は挿し口部材２０の円周段差部２３ａに当接し、管本体１，２の端面は被挿入部１２ａ，２２ａに内包されるため、固定状態が安定している。そのため、配管接合作業時において生ずる管の曲げなどの外力に対しても、管端部の変形を防止することができ、かつ止水を保つことができる。
【００５１】
本実施の形態で示される継手付樹脂管、及びその連結構造によれば、配管である管本体１，２の連結作業が容易であり、また配管された仮設配管管路はバイオネット連結構造である受け口部材１０と挿し口部材２０の取外しが容易である。また、継手付の管本体１，２から継手である受け口部材１０や挿し口部材２０を取り外す場合も、固定リング１８，２８と受け口部材１０及び挿し口部材２０との係合を緩めて爪リング１７，２７を管本体１，２から緩めるだけで、管本体１，２を容易に引抜くことができるため、メンテナンスが容易である。また、管本体１，２は、受け口部材１０及び挿し口部材２０を固定（装着）した状態で運搬、配管、解体、保管できるので、繰り返し利用がしやすい構造となっている。
【００５２】
具体的には、図１（ｂ）において、止め金具３０を時計方向に回転させることで、係合爪部１５ａと係止爪３３との係合を解き、受け口部材１０と挿し口部材２０との連結を解除することができ、受け口部材１０の受け口部１１から挿し口部材２０の挿し口部２１を引き抜くことで両者を分離することができる。そして、分離された受け口部材１０が付いた管本体１において、固定リング１８の係止爪１８ｂと受け口部材１０の係止爪１６との係合を外すことで固定リング１８を受け口部材１０から離し、爪リング１７の管本体１への食込みを解除することで、管本体１から受け口部材１０を容易に取り外すことができる。そして、取り外した管本体１からインナーコア４０を引き抜くことで継手付樹脂管からすべての連結構造の部材を取り外すことができる。
【００５３】
挿し口部材２０の管本体２からの取外しも同様に、固定リング２８の係止爪２８ｂと挿し口部材２０の係止爪２６との係合を外すことで固定リング２８を挿し口部材２０から離し、爪リング２７の管本体２への食込みを解除することで、管本体２から挿し口部材２０を容易に取り外すことができる。このあと、挿し口部材２０の管本体２側の端部から止め金具３０を引き抜くことができる。そして、取り外した管本体２からインナーコア４０を引き抜くことで継手付樹脂管からすべての連結構造の部材を取り外すことができる。
【００５４】
本実施形態の仮設配管用継手付樹脂管、仮設配管用樹脂管の連結構造、及びこれらを用いた仮設配管管路は、地中に埋設される場合と、埋設されずに地面から露出した状態で設置される場合がある。樹脂管が露出される場合は、紫外線等で影響を受け強度が低下する場合があるため、管本体１，２は耐候処理が必要となる場合がある。この場合は、例えば紫外線対策用の樹脂で管本体を被覆することが好ましい。すなわち、管本体１，２の外周に、例えば低密度ポリエチレン樹脂からなる樹脂チューブ（図示せず）を巻くことで紫外線の影響を低減させ、管本体１，２を保護することができる。
【００５５】
本発明の他の実施形態である仮設配管管路の実施形態を図９に基づき詳細に説明する。図９は本発明に係る仮設配管管路の実施形態のシステム構成図である。なお、この実施形態は前記した仮設配管用継手付樹脂管と、この樹脂管の連結構造を用いて、さらにエルボ、チーズ等の接続具を用いて構成したことを特徴とする。そして、他の実質的に同等の構成については同じ符号を付して詳細な説明は省略する。
【００５６】
図９において、この実施形態の仮設配管管路は、ポリエチレン等の合成樹脂製の管本体１，２…を金属製の継手として受け口部材１０、挿し口部材２０…を用いて、さらに必要に応じて他の連結具としてエルボやチーズ、分岐チーズ等を用いて仮設的に構成されている。具体的には、更新する古い管路である既設水道主管から不断水分岐割Ｔ字管で分岐し、本実施形態の継手付樹脂管として、フランジ付き短管１号を連結し、４５°ベンドを連結し、同様にフランジ付き短管、９０°ベンド、フランジ付き短管、分水栓付きチーズ、チーズ、フランジ付き短管２号を連結し、別の既設水道主管に連結している。
【００５７】
この例で使用している各種の連結用の部材では、すべて本体部分は合成樹脂製のパイプで形成され、継手の部分が金属製となっている。例えば、４５度ベンドでは中間部分は４５度に曲げられた樹脂管であり、両端には前記の金属製の受け口部材１０及び挿し口部材２０が固定されている。チーズや分水栓付きチーズも同様に本体部分は樹脂製で軽量であり、両端に金属製の受け口部材１０と挿し口部材２０が固定された構成となっている。
【００５８】
本実施形態の仮設配管管路によれば、合成樹脂製の管本体１，２を金属製の継手として、受け口部材１０及び挿し口部材２０を用いて連結し、既設の古い水道管等の管路を更新するべく予め連結構成するため、断水を防止して近隣住民の不便を解消することができる。また、仮設配管管路の連結設置作業は、軽量の樹脂管を金属製の継手で連結するため、作業が容易に行えると共に、地震等が発生して管路に大きな外力が作用しても管接続部の強度が高いため、漏水を防止することができる。
【００５９】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、合成樹脂製の管本体に金属製の継手を固定する構成として、止め金具で爪リングを押圧して固定する構成を示したが、これに限られるものでなく受け口部材や挿し口部材をボルト等の固定手段を用いて固定する構成でもよい。また、止水部材としてＯリングの例を示したが、円形の断面形状でなくてもよく、いかなる断面形状の止水部材を用いてもよいことは勿論である。
【００６０】
継手付樹脂管の連結状態を保持するための回転防止手段として、受け口部材１０のフランジ部１５にストッパ３５を嵌合させ、ストッパ３５と止め金具３０の外周リング部とを結束バンド３６で縛って回転を防止する例を示したが、例えば、挿し口部材のフランジ部と止め金具との相対移動を阻止して連結状態を保持するように構成してもよく、また他の構成で止め金具をロックするように構成してもよい。
【００６１】
前記の実施形態では、継手付樹脂管として直管の管本体の例を示したが、これに限られるものでなく、チーズやエルボ等の異形管の端部に前記の受け口部材と挿し口部材を固定して他の管本体等に連結することで仮設の管路を形成することもできる。また、管本体同士を連結するソケット等の継手や、フレキシブル管の両端に、前記の受け口部材や挿し口部材を固定して連結することで、仮設配管管路を形成することもできる。
【００６２】
さらに、金属製の継手のバイオネット連結部として、係合爪部は円周上に形成された４つの爪からなる例を示したが、これに限られるものでなく、管本体の直径に合わせて２つの円周上に形成された爪や、３つあるいは他の複数の爪からなる構成でもよいことは勿論である。また、受け口部材や挿し口部材の内部突起として、円周状の円周突部の例を示したが、内面から突出する複数の突部、例えは円周状に形成された３つの突部で構成してもよい。
【産業上の利用可能性】
【００６３】
本発明の活用例として、この継手付樹脂管と、連結構造を用いて、上水道に限らず下水道の仮設配管管路にも使用することができ、他に工場等で各種の液体を輸送する管路等の用途にも適用できる。
【符号の説明】
【００６４】
１，２：管本体（ポリエチレン製の管）、１０：受け口部材（金属製の継手）、１１：受け口部、１１ａ：内部通路、１２：円筒部、１２ａ：被挿入部、１２ｂ：凹溝、１３：内周突部、１３ａ：円周段差部（内部突起）、１４：Ｏリング（止水部材）、１５：フランジ部、１５ａ：係合爪部（バイオネット連結部）、１５ｃ：係合凹部、１６：係止爪、１７：爪リング、１８：固定リング、１８ｂ：係止爪、２０：挿し口部材（金属製の継手）、２１：挿し口部、２２：円筒部、２２ａ：被挿入部、２２ｂ：凹溝、２３：内周突部、２３ａ：円周段差部（内部突起）、２４：Ｏリング（止水部材）、２５：フランジ部、２６：係止爪、２７：爪リング、２８：固定リング、２８ｂ：係止爪、２９：Ｏリング（止水部材）、３０：止め金具（バイオネット連結部）、３０ａ：突起、３３：係止爪、３５：ストッパ（回転防止手段）、３６：結束バンド、４０：インナーコア（筒状部材）、４１：先細部、４２：拡径部、４３：中心部、４４：接触部
【図１】
0005706720.tif 000002
【図２】
0005706720.tif 000003
【図３】
0005706720.tif 000004
【図４】
0005706720.tif 000005
【図５】
0005706720.tif 000006
【図６】
0005706720.tif 000007
【図７】
0005706720.tif 000008
【図８】
0005706720.tif 000009
【図９】
0005706720.tif 000010